(57)【要約】【課題】  立体駐車場等のＧＰＳでは詳細な位置が把握できない場所に駐車した場合でも、ユーザへ立体駐車場の階数や柱番号等の駐車場所の目印となる情報をユーザが所持する携帯端末に通知する。【解決手段】  駐車場に設置され、駐車場所情報を送信する近距離無線通信装置と、近距離無線通信装置から駐車場所情報を受信する携帯端末と、車両が駐車したことを感知する駐車感知用デバイスとを有し、携帯端末は、駐車感知用デバイスから、駐車完了の情報を受信した際に、近距離無線通信装置から得た駐車場所情報を記録し、携帯端末の画面に表示する。【選択図】      図１
2016099885.tif 000002
【特許請求の範囲】
【請求項１】
駐車場に設置され、駐車場所情報を送信する近距離無線通信装置と、
前記近距離無線通信装置から前記駐車場所情報を受信する携帯端末と、
車両が駐車したことを感知する駐車感知用デバイスと、
を有し、
前記携帯端末は、前記駐車感知用デバイスから、駐車完了の情報を受信した際に、前記近距離無線通信装置から得た前記駐車場所情報を記録し、前記携帯端末の画面に表示すること、
を特徴とする駐車場所記録システム。
【請求項２】
前記駐車感知用デバイスは、駐車場に入るまでに前記携帯端末に接続され、駐車が完了した時点で前記携帯端末との接続を切断することを特徴とする請求項１に記載の駐車場所記録システム。
【請求項３】
前記駐車感知用デバイスは、駐車が完了した時点で前記携帯端末との接続を切断する直前に、前記携帯端
末へ駐車完了の情報を送信することを特徴とする請求項１または２に記載の駐車場所記録システム。
【請求項４】
前記駐車感知用デバイスは、前記車両の運転席降車後のドアロックを検出して、駐車が完了したと判断することを特徴とする請求項１から３のいずれか１項に記載の駐車場所記録システム。
【請求項５】
前記駐車感知用デバイスは、受信強度順で駐車場所の候補を表示可能にし、複数の駐車場所情報を表示可能にしておくことを特徴とする請求項１から４のいずれか１項に記載の駐車場所記録システム。
【請求項６】
前記近距離無線通信装置は、無線ＬＡＮのアクセスポイントであることを特徴とする請求項１から５のいずれか１項に記載の駐車場所記録システム。
【請求項７】
駐車場に設置され、駐車場所情報を送信するステップと、
近距離無線通信装置から前記駐車場所情報を受信するステップと、
車両が駐車したことを感知するステップと、
を有し、
携帯端末は、前記駐車感知用デバイスから、駐車完了の情報を受信した際に、前記近距離無線通信装置から得た前記駐車場所情報を記録し、前記携帯端末の画面に表示するステップを有すること、
を特徴とする駐車場所記録方法。
【発明の詳細な説明】
【技術分野】
【０００１】
本発明は、駐車場所を記録するシステムおよび方法に関し、特に立体駐車場に駐車した車両の駐車場所を記録するシステムおよび方法に関する。
【背景技術】
【０００２】
車両を駐車場に駐車する場合に、大規模な駐車場等においては、ユーザが駐車場所を忘れてしまい、駐車場所に戻るまでに必要以上の時間がかかることがあった。それに対して、ＧＰＳ（Ｇｌｏｂａｌ  Ｐｏｓｉｔｉｏｎｉｎｇ  Ｓｙｓｔｅｍ）から得られる情報で、そのような場合でもユーザに駐車場所を通知することができるシステムもあるが、ＧＰＳから得られる情報は平面上であるため、立体駐車場等の場合は何階に駐車したかまでは認識できない。また、地下駐車場のようにＧＰＳで位置測定が困難な場合に、ユーザへ目印となるものを撮像するよう通知する場合でも、持ち主が携帯電話端末を鞄に入れたまま駐車位置の目印となるものの撮像を忘れてしまう場合がある。
【０００３】
関連する技術として、特許文献１には、駐車施設内には位置情報送信機を設け、駐車する車の車内にはワイヤレスカードを置いて、当施設に駐車する車内のワイヤレスカードは、駐車位置に駐車完了した時点で位置情報を受信し、ワイヤレスカードに記憶されると共に、駐車位置を駐車施設のモニター装置で確認できる技術が開示されている。
【先行技術文献】
【特許文献】
【０００４】
【特許文献１】特開２０００−１５５８９７号公報
【発明の概要】
【発明が解決しようとする課題】
【０００５】
特許文献１に記載の技術では、該当する駐車施設専用のワイヤレスカードが必要であり、駐車位置を駐車施設のモニター装置で確認するため、モニター装置の場所まで移動しなければならず、また、モニター装置の表示内容を覚えておかなくてはならない、という課題があった。
【０００６】
本発明の目的は、上述した課題を解決し、立体駐車場等のＧＰＳでは詳細な位置が把握できない場所に駐車した場合でも、ユーザへ立体駐車場の階数や柱番号等の駐車場所の目印となる情報をユーザが所持する携帯端末に通知することができるので、駐車位置を確認するためにモニター装置の場所まで移動したり、モニター装置の表示内容を覚えておく必要をなくすことである。
【課題を解決するための手段】
【０００７】
本発明は、上記課題を解決するために、駐車場に設置され、駐車場所情報を送信する近距離無線通信装置と、近距離無線通信装置から駐車場所情報を受信する携帯端末と、車両が駐車したことを感知する駐車感知用デバイスとを有し、携帯端末は、駐車感知用デバイスから、駐車完了の情報を受信した際に、近距離無線通信装置から得た駐車場所情報を記録し、携帯端末の画面に表示することを特徴としている。
【０００８】
また、本発明は、上記課題を解決するために、駐車場に設置され、駐車場所情報を送信するステップと、
近距離無線通信装置から駐車場所情報を受信するステップと、車両が駐車したことを感知するステップと、
を有し、携帯端末は、駐車感知用デバイスから、駐車完了の情報を受信した際に、近距離無線通信装置から得た駐車場所情報を記録し、携帯端末の画面に表示するステップを有することを特徴としている。
【発明の効果】
【０００９】
本発明によれば、立体駐車場等のＧＰＳでは詳細な位置が把握できない場所に駐車した場合でも、ユーザへ立体駐車場の階数や柱番号等の駐車場所の目印となる情報をユーザが所持する携帯端末に通知することができるので、駐車位置を確認するためにモニター装置の場所まで移動したり、モニター装置の表示内容を覚えておく必要はない、という効果がある。
【図面の簡単な説明】
【００１０】
【図１】本発明の実施形態における駐車場所記録システムの構成を示すブロック図である。
【図２】本発明の実施形態における駐車場所記録システムの構成の詳細を示すブロック図である。
【図３】本発明の実施形態における駐車場所記録システムの車両内の駐車感知用デバイスの処理の流れを示すフローチャートである。
【図４】本発明の実施形態における駐車場所記録システムの携帯端末の処理の流れを示すフローチャートである。
【図５】本発明の実施形態における駐車場所記録システムの受信したアクセスポイントのリストを示す図である。
【図６】本発明の実施形態における駐車場所記録システムの駐車場所情報の表示例を示す図である。
【発明を実施するための形態】
【００１１】
以下、本発明の実施形態について図面を参照して詳細に説明する。
【００１２】
（実施形態）
図１、図２を用いて、本発明の実施形態における駐車場所記録システムの構成を説明する。図１は、本発明の実施形態における駐車場所記録システムの構成を示すブロック図である。駐車場所記録システムは、図１に示すように、駐車場に設置された近距離無線通信装置であるＡＰ（アクセスポイント）１０と、車内に設置された駐車感知用デバイス２０と、ユーザが所持する携帯端末３０にて構成される。
【００１３】
ＡＰ１０は、無線ＬＡＮ（Ｌｏｃａｌ  Ａｒｅａ  Ｎｅｔｗｏｒｋ）のアクセスポイントで、自機の周辺に対し、駐車場であることを示す情報と、立体駐車場の階数や柱番号等の車両発見の目印となる情報をＳＳＩＤ（Ｓｅｒｖｉｃｅ  Ｓｅｔ  Ｉｄｅｎｔｉｆｉｅｒ）等に設定したビーコンを送信する機能を有している。車内の駐車感知用デバイス２０は、車両が駐車したかどうかを感知し、携帯端末３０に対して無線ＬＡＮ接続及び切断を行う。
【００１４】
図２は、本実施形態における駐車場所記録システムの詳細な内部の構成である。
【００１５】
駐車場に設置されたＡＰ１０は、自機の周辺に対し、駐車場であることを示す情報と、立体駐車場の階数や柱番号等の車両発見の目印となる情報をＳＳＩＤ等に設定したビーコンを送信する機能を有している。
【００１６】
駐車感知用デバイス２０は、車内の、例えばカーナビゲーション装置内に設置され、携帯端末３０と無線ＬＡＮ接続及び切断を行う端末接続部２１と、駐車完了の判定を行う駐車完了判定部２２を備えている。
【００１７】
端末接続部２１は、運転開始時に携帯端末３０と接続し、接続状態を駐車完了判定部２２へ出力する。また、駐車完了判定部２２の情報から、駐車が完了した際に携帯端末３０との接続を切断する。
【００１８】
駐車完了判定部２２は、端末接続部２１から接続状態の情報を受けた後、ドライバ席降車後のドアロック等により駐車完了の判定を行い、その情報を端末接続部２１に出力する。
【００１９】
携帯端末３０は、駐車感知用デバイス２０と接続及び切断を行う駐車感知デバイス接続部３１と、ＡＰ１０から送信されるビーコンを受信するＡＰ情報受信部３２と、駐車場内にいるかどうか判定する駐車場内判定部３３と、駐車が完了したかどうか判定する駐車判定部３４と、駐車場所を保存し表示部に出力する駐車場所選択部３５と、ユーザの要求に応じて駐車場所の表示を行う表示部３６から構成されている。これらは、ユーザの所有する携帯端末３０のアプリケーションプログラムとして構成されている。
【００２０】
駐車感知デバイス接続部３１は、運転開始時に駐車感知用デバイス２０と接続し、接続状態を駐車判定部３４に出力する。
【００２１】
ＡＰ情報受信部３２は、ＡＰ１０から送信されるビーコンを受信し、受信した情報を駐車場内判定部３３と駐車場所選択部３５に出力する。
【００２２】
駐車場内判定部３３は、ＡＰ情報受信部３２からのビーコン情報から駐車場内にいるかどうか判定し、その情報を駐車判定部３４に出力する。
【００２３】
駐車判定部３４は、駐車感知デバイス接続部３１からの接続状態から駐車完了したかどうか判定し、その情報を駐車場所選択部３５に出力する。
【００２４】
駐車場所選択部３５は、駐車判定部３４からの駐車完了判定結果から駐車完了した際に、ＡＰ情報受信部３２からの情報を保存し、最も受信信号強度の高いＡＰ情報から得られる駐車場所情報を選択し、表示部３６に出力する。
【００２５】
表示部３６は、ユーザの要求に応じて駐車場所選択部３５からの駐車場所情報を表示する。
【００２６】
図１から図６を用いて、本発明の実施形態における駐車場所記録システムの動作について説明する。
【００２７】
駐車場に設置されたＡＰ１０は、自機の周辺に対し、階数と柱番号等の車両発見の目印となる情報をＳＳＩＤ等に設定したビーコンを送信する。この際、ＳＳＩＤの先頭に「ＰＡＲＫ」という文字を付与する等して駐車場のＡＰであることが判別できるようにしておく。
【００２８】
図３は、実施形態における駐車場所記録システムの車両内の駐車感知用デバイスの処理の流れを示すフローチャートである。図３を用いて、車両内の駐車感知用デバイス２０の処理の流れを説明する。
【００２９】
端末接続部２１にて、運転開始時に携帯端末３０と無線ＬＡＮにて接続を行う（Ｓ４１）。
【００３０】
駐車完了判定部２２にて、ドライバ席の降車やドアロック等、駐車完了の判定を行い（Ｓ４２）、駐車完了と判定した場合、端末接続部２１にて携帯端末３０との無線ＬＡＮ接続を切断（Ｓ４３）する。
【００３１】
以上、駐車完了までＳ４２〜Ｓ４３のループ処理を行い、切断処理が行われたら、ループ処理を抜ける。
【００３２】
図４は、実施形態における駐車場所記録システムの携帯端末３０の処理の流れを示すフローチャートである。図４を用いて、携帯端末３０の処理の流れを説明する。
【００３３】
携帯端末３０のデバイス接続部３１で、運転開始時に駐車感知用デバイス２０との無線ＬＡＮ接続を行う（Ｓ５１）。
【００３４】
デバイス接続部３１にて、無線ＬＡＮ接続が切断されているかどうか接続状態の監視を行う（Ｓ５２）。
次に、ＡＰ情報受信部３２にて、ＡＰ１０等から送信されるビーコンを受信する（Ｓ５３）。
【００３５】
図５は、受信したＡＰのリスト例を示したものである。Ｎｏ．１とＮｏ．３は、駐車場のＡＰ、Ｎｏ．２は他のＡＰであり、駐車場のＡＰのＳＳＩＤは、「（駐車場識別子）＿（建物名）＿（階数）＿（柱番号）」で設定されている。また、受信強度は、各ＡＰからの電波の受信強度である（数字が大きい方が強度が強い）。
【００３６】
駐車場内判定部３３にて、ＡＰ情報受信部３２からのビーコン情報から駐車場内にいるかどうか判定する（Ｓ５４）。この際、ＳＳＩＤの先頭に「ＰＡＲＫ」が付与されている等、駐車場のＡＰであることを示すビーコンを受信することで駐車場内にいることを判定する。駐車場内でないと判定した場合（Ｓ５４のＮｏ）、ループ処理の最初に戻る。図５の例では、Ｎｏ．１またはＮｏ．３のＡＰのビーコンを受信することで駐車場内にいると判定する。
【００３７】
駐車判定部３４にて、駐車感知デバイス接続部３１から取得する無線ＬＡＮ接続状態から、駐車したかどうか判定する（Ｓ５５）。この際、無線ＬＡＮの接続状態から切断になった場合に駐車完了と判定する（Ｓ５５のＹｅｓ）。接続状態のままの場合（Ｓ５５のＮｏ）、ループ処理の最初に戻る。
【００３８】
駐車場所選択部３５にて、駐車判定部３４からの駐車完了判定結果から駐車完了した際に、ＡＰ情報受信部３２からのＡＰ情報（ビーコン情報）を保存する（Ｓ５６）。この時、駐車場にある複数のＡＰからビーコンを受信している可能性があるため、最も受信強度の高いＳＳＩＤのＡＰを第一候補として選択し、選択したＡＰから得られる駐車場所情報を表示部３６へ出力する（Ｓ５７）。
【００３９】
さらに、ユーザが第一候補で車を発見できない可能性もあることを考慮し、受信強度順で第二候補以降のＡＰの駐車場所情報も表示できるようにしておく。図５の例では、第一候補がＮｏ．１、第二候補がＮｏ．３のＡＰの駐車場所情報となる。第二候補が使用される場合とは、例えば、第二候補が一番近くても車両とＡＰとの間に障害物等があって、受信強度が低くなっている場合などが考えられる。
【００４０】
表示部３６では、ユーザの要求に応じて駐車場所選択部３５から取得する駐車場所情報を表示する。図６に駐車場所情報の表示例を示す。ここでは、ＡＡＡ駐車場の３Ｆの柱番号３Ａを示している。
【００４１】
以上、駐車完了までＳ５２〜Ｓ５７のループ処理を行い、駐車完了して接続が切断され駐車場所情報を表示部３６へ出力したら、ループ処理を抜ける。
【００４２】
以上のように、本実施形態では、立体駐車場や地下駐車場等のＧＰＳでは詳細な位置が把握できない場所に駐車した場合でも、ユーザへ立体駐車場の階数や柱番号等の駐車場所の目印となる情報をユーザが所持する携帯端末に通知することができるので、駐車位置を確認するためにモニター装置の場所まで移動したり、モニター装置の表示内容を覚えておく必要はない。
【００４３】
尚、本願発明は、上述の実施の形態に限定されるものではなく、本願発明の要旨を逸脱しない範囲で種々変更、変形して実施することが出来る。例えば、無線ＬＡＮを用いる代わりにブルーツゥースのような他の近距離無線通信を用いてもよい。また駐車感知用デバイス２１は車両の運転開始時から携帯端末３０と接続されている必要はなく、駐車場に入るまでに接続されていればよい。駐車場に入ったことは、例えば、携帯端末３０が無線ＬＡＮアクセスポイント１０からのビーコンを受信したことで検知すればよい。また、駐車完了しても駐車感知用デバイスと携帯端末は、接続を切断しなくてもよい。
【産業上の利用可能性】
【００４４】
本発明は、ＧＰＳでは車両位置の特定が困難な、立体駐車場や地下駐車場に駐車した車両の駐車場所を記録するシステムに利用可能である。
【符号の説明】
【００４５】
１０    無線ＬＡＮアクセスポイント
２０    駐車感知用デバイス
２１    端末接続部
２２    駐車完了判定部
３０    携帯端末
３１    デバイス接続部
３２    ＡＰ情報受信部
３３    駐車場内判定部
３４    駐車判定部
３５    駐車場所選択部
３６    表示部
【図１】
2016099885.tif 000003
【図２】
2016099885.tif 000004
【図３】
2016099885.tif 000005
【図４】
2016099885.tif 000006
【図５】
2016099885.tif 000007
【図６】
2016099885.tif 000008